(57)【特許請求の範囲】
【請求項１】
顕微鏡ステージ上に支持された保持装置本体と、該保持装置本体に設けられた少なくとも一つの標本当接手段と、前記保持装置本体に回転自在に装着された標本押圧手段と、標本保持前は前記標本押圧手段が開放されており、標本を挿入すると前記標本押圧手段が回転して標本を保持し、標本を更に押し込むと前記標本押圧手段が開放され標本が押し出される作動制御機構とを備えたことを特徴とする顕微鏡の標本保持装置。
【請求項２】
前記作動制御機構は、前記標本当接手段に標本が当接して、該標本当接手段が移動する事により、前記標本押圧手段が回転して標本を保持するものであることを特徴とする請求項１記載の顕微鏡の標本保持装置。
【請求項３】
前記作動制御機構は、標本取出し時に、標本を挿入した方向に標本を介して前記標本当接手段を押圧すると、前記標本押圧手段が標本保持方向と逆方向に回転するとともに、前記標本当接手段が標本を押し出すものであることを特徴とする請求項２記載の顕微鏡の標本保持装置。
【発明の詳細な説明】
【０００１】
【発明の属する技術分野】
本発明は、スライドガラスなどの標本を顕微鏡のステージに保持する顕微鏡の標本保持装置に関する。
【０００２】
【従来の技術】
顕微鏡の検鏡作業、例えば細胞診などでは、１日に数百枚というスライドガラスを交換しながら観察しているので、このような標本保持装置には、標本の着脱が簡単にできることが望まれている。従来、このような標本保持装置には、実開昭５６−１３７１１３号（従来技術１）、実開昭６３−１５５１１８号（従来技術２）、実公昭５７−５１３７２号（従来技術３）および実開平６−１５０１９号（従来技術４）の各公報に所載の技術が開示されており、それぞれ標本の着脱性の改良を課題としている。
【０００３】
従来技術１では、標本が挿入し易いように、挿入口にＲ面または斜面を形成し、それらの先端間隔を標本よりも大きく設定している。従来技術２では、一対の標本押え部材を左右対象に配設し、一方の標本押え部材の開閉に、他方の標本押え部材が連動して開閉するようにしている。従来技術３では、標本の導入に連動して、回転する２つの回転部材を設けて、案内部材に沿って標本を案内すれば、標本を所定の位置に保持固定し得るようにしている。従来技術４では、標本を保持する回転爪に連動して、標本を手前側に押し出すための押出部材を設けて、標本の取り出しを容易にしている。
【０００４】
【発明が解決しようとする課題】
しかるに、上記従来技術には、つぎのような問題点があった。すなわち、従来技術１および従来技術２の標本保持装置では、標本を挿入するときに、標本により標本押え部材を押し開きながら、標本を挿入しなければならず、ある程度正確に標本を導くことが要求される。また、標本を取り出す時は、従来技術３の標本保持装置を含めて、標本を指で直接引き出さねばならず、滑りやすく取り出しが困難である。さらに、従来技術４の標本保持装置では、回転爪を操作するために、図１１に示すように、標本より奥、すなわち対物レンズより奥に配された操作部のつまみを操作する必要があり、対物レンズの陰になるので、かなり煩わしい作業となる。
【０００５】
本発明は、上記従来の問題点に鑑みてなされたもので、請求項１、２または３に係る発明の課題は、簡単な操作で標本を容易に着脱することができる顕微鏡の標本保持装置を提供することである。
【０００６】
【課題を解決するための手段】
上記課題を解決するために、請求項１、２または３に係る発明は、顕微鏡の標本保持装置において、顕微鏡ステージ上に支持された保持装置本体と、該保持装置本体に設けられた少なくとも一つの標本当接手段と、前記保持装置本体に回転自在に装着された標本押圧手段と、標本保持前は前記標本押圧手段が開放されており、標本を挿入すると前記標本押圧手段が回転して標本を保持し、標本を更に押し込むと前記標本押圧手段が開放され標本が押し出される作動制御機構とを備えた。
【０００７】
請求項１、２または３に係る発明の顕微鏡の標本保持装置では、作動制御機構により、標本保持前は標本押圧手段が開放されており、標本を挿入すると標本押圧手段が回転して標本を保持し、標本を更に押し込むと標本押圧手段が開放され標本が押し出される。
請求項２または３に係る発明の顕微鏡の標本保持装置では、上記作用に加え、標本当接手段に標本が当接して、該標本当接手段が移動し、標本押圧手段が回転して標本を保持する。
請求項３に係る発明の顕微鏡の標本保持装置では、上記作用に加え、標本取出し時に、標本を挿入した方向に標本を介して標本当接手段を押圧すると、標本押圧手段が標本保持方向と逆方向に回転するとともに、標本当接手段が標本を押し出す。
【０００８】
【発明の実施の形態】
以下、具体的な実施の形態について説明する。
【０００９】
（実施の形態１）
図１〜図５は実施の形態１を示し、図１は標本保持装置の標本押圧部材が開放状態の平面図、図２は標本保持装置の標本押圧部材が保持状態の平面図、図３は標本保持装置の標本押圧部材が開放開始直前の状態の平面図、図４は標本保持装置の第１の変形例を示す平面図、図５は標本保持装置の第２の変形例を示す平面図である。
【００１０】
図１において、標本保持装置の保持装置本体としての本体１は、図示しない顕微鏡ステージ上に支持されている。本体１の右前側には、標本当接手段の一つとして、標本２の挿入方向に本体当接部１ａと、挿入方向と直角の方向に本体当接部１ｂとが形成されている。また、本体１の左側には、標本押圧部材３が配設され、その回転軸３ａは本体１に回転自在に装着されている。標本押圧部材３には、回転軸３ａの半径方向に突出した突起部３ｂと、標本２に当接して押圧する標本当接部３ｃとが形成されている。本体１と標本押圧部材３との間には、捩じりバネ４が配設され、本体１には本体側支持部４ａにより、標本押圧部材３には標本押圧側支持部４ｂによりそれぞれ固着され、標本押圧部材３が開放されているときは、図１に示すように、矢印Ａの方向に弾発力が作用し、標本押圧部材３を右回りに回転させる。本体１には、標本押圧部材３の突起部３ｂの近傍に、ピン９が立設され、このピン９に突起部３ｂが当接して、標本押圧部材３の右回りの回転を制限している。標本押圧部材３と捩じりバネ４とにより標本押圧手段を構成している。
【００１１】
本体１には、本体当接部１ａと並列に、標本挿入方向に直進移動自在な第１の標本当接部材５が配設されている。第１の標本当接部材５と本体１との間には、圧縮バネ６が装着され、第１の標本当接部材５は弾発力により標本２側に付勢されている。第１の標本当接部材５には、第１突起部５ａが形成され、本体１の溝部１ｃに係止して、第１の標本当接部材５の移動範囲を制限している。また、第１の標本当接部材５に隣接して、同様に直進移動自在な第２の標本当接部材７が配設されている。第２の標本当接部材７と本体１との間には、圧縮バネ８が装着され、第２の標本当接部材７は弾発力により標本２側および第１の標本当接部材５側に付勢されている。第２の標本当接部材７には、切欠き部７ｂが凹設され、標本押圧部材３の突起部３ｂに係止して、第２の標本当接部材７の移動範囲を制限している。
【００１２】
また、第１の標本当接部材５の第２の標本当接部材７に隣接する側には、第２突起部５ｂが凸設され、第２の標本当接部材７には、標本２を保持するときに第２突起部５ｂに係合する箇所に切欠き７ａが凹設されている。また、第２の標本当接部材７を圧縮バネ８に抗して押し込んだときに、第２の標本当接部材７の後端部７ｃが当接すると、第１の標本当接部材５から離れる方向に移動させる斜面部１ｄが、本体１に形成されている。第１の標本当接部材５、圧縮バネ６、第２の標本当接部材７および圧縮バネ８により、もう一つの標本当接手段を構成している。また、本体１に形成された斜面部１ｄ、標本押圧部材３、捩じりバネ４、第１の標本当接部材５、圧縮バネ６、第２の標本当接部材７、圧縮バネ８およびピン９により作動制御機構を構成している。
【００１３】
つぎに、上記構成の標本保持装置の作用について説明する。標本２を保持する前には、図１に示すように、標本押圧部材３は、捩じりバネ４の弾発力により、突起部３ｂがピン９に当接していて標本押圧部材３は開放され、標本当接部３ｃと本体１の本体当接部１ｂとの間隔は、標本２の長手方向の寸法よりも十分大きく開いている。圧縮バネ８の弾発力により、第２の標本押圧部材７の切欠き部７ｂが標本押圧部材３の突起部３ｂに当接し、第１の標本押圧部材５よりも標本側に突出した状態で静止している。
【００１４】
つぎに、図２に示すように、十分大きく開いている標本押圧部材３の標本当接部３ｃと本体１の本体当接部１ｂとの間に、標本２を滑り込ませ、標本当接部材７を押すと、切欠き部７ｂが標本押圧部材３の突起部３ｂを押して、標本押圧部材３を回転させる。ある程度回転させると、捩じりバネ４の弾発力の作用する方向の変極点を超え、標本押圧部材３が標本２を押圧する方向（矢印Ｂの方向）すなわち左回りに捩じりバネ４の弾発力が作用する。さらに、標本２を第１の標本当接部材５に当接するまで押し込むと第２突起部５ｂが第２の標本当接部材７の切欠き部７ａに落ち込み、第１の標本当接部材５と第２の標本当接部材７との標本２に当接する面が同一面になり、標本２は静止し保持される。このとき、標本２は、本体１の本体当接部１ａ、１ｂにも当接している。
【００１５】
つぎに、標本２を取り外すときは、図３に示すように、標本２をさらに挿入方向に押し込む。標本２を押し込むと、第１の標本当接部材５と第２の標本当接部材７とが、それぞれ圧縮バネ６、８の弾発力に抗して移動し、第２の標本当接部材７の後端部７ｃは、本体１の斜面部１ｄに沿って移動する。すると、第２の標本当接部材７は第１の標本当接部材５から離れていき、第２突起部５ｂが切欠き部７ａから外れる。この状態で標本２から手を離すか、もしくは押す力を緩めれば、第１の標本当接部材５と第２の標本当接部材７とがそれぞれ圧縮バネ６、８の弾発力により、標本２を押し出しながら、図１の状態に戻り、第２の標本当接部材７が第１の標本当接部材５よりも突出した位置に静止する。このとき、標本押圧部材３の突起部３ｂが切欠き部７ｂに当接して、標本押圧部材３が回転し、捩じりバネ４の弾発力の変極点を超え、標本押圧部材３を開放する方向（図１矢印Ａの方向）に弾発力が加わり、突起部３ｂがピン９に当接して静止する。
【００１６】
本実施の形態によれば、簡単な操作で標本を容易に着脱することができる。また、標本押圧部材の当接部と本体の当接部との間隔が標本の長手方向の寸法よりも十分大きく開いているので、標本挿入時の精度がラフでもよい。また、標本を取り出すときも、挿入方向に標本をワンプッシュするのみで済む。
【００１７】
本実施の形態では、標本押圧部材の回転を捩じりバネの弾発力によったが、圧縮コイルバネやゴムなどの弾性部材に替えてもよい。また、図４に示すように、標本押圧部材に掛ける位置を変更して引張りバネ４Ａに替えてもよい。さらに、標本当接部材を付勢するのに、圧縮バネを用いているが、ストロークを確保できれば、ゴム等の弾性部材に替えてもよい。
【００１８】
また、図５に示すように、本体当接部１ａを除去した本体１Ａとし、幅の大きな第１の標本当接部材５Ａと第２の標本当接部材７とにより、標本２を挿入方向で受けることもできる。
【００１９】
（実施の形態２）
図６〜図１０は実施の形態２を示し、図６は標本保持装置の標本押圧部材が開放状態の平面図、図７は標本保持装置の標本押圧部材が保持状態の平面図、図８は標本保持装置の作動制御機構の縦断面図、図９は標本保持装置の作動制御機構の平面図、図１０は作動制御機構の作動制御溝の平面図である。
【００２０】
図６において、標本保持装置の保持装置本体としての本体１１は、図示しない顕微鏡ステージ上に支持されている。本体１１の上面には、壁１１ａが周設され、壁１１ａ上に蓋２０が取着され、上面を被覆している。また、本体１１の上面には、左右対象位置に、一対の回転軸１５、１６が立設されている。この回転軸１５、１６には、標本１２を挟み込むため勝手の異なる一対の標本押圧部材１３、１４が回転自在に嵌装されている。標本押圧部材１３、１４は、それぞれ内アーム１３ａ、１４ａ、外アーム１３ｂ、１４ｂ、標本当接部１３ｃ、１４ｃにより形成されている。標本押圧部材１３、１４は互いに、それぞれに立設されたバネ支持部材１３Ａ、１４Ａにて支持された捩じりバネ１７により連結されている。標本１２を保持するときは、標本押圧部材１３、１４が標本１２を挟み込む方向（図７矢印Ｄの方向）に弾発力が作用し、標本１２を保持していないときは、標本押圧部材１３、１４が互いに開く方向（図６矢印Ｃの方向）に弾発力が作用する。標本押圧部材１３、１４、バネ支持部材１３Ａ、１４Ａおよび捩じりバネ１７により、標本押圧手段を構成している。
【００２１】
また、本体１１には、標本１２がその挿入方向に当接する標本当接部材１８が直進移動自在に配設され、圧縮バネ１９により標本１２側に付勢されている。標本当接部材１８には、標本押圧部材１３、１４の内アーム１３ａ、１４ａが当接し、移動量を規制する位置に、切欠き２７、２８が凹設され、それぞれ前当接面２７ａ、２８ａおよび後当接面２７ｂ、２８ｂが形成されている。さらに、本体１１の壁１１ａには、標本押圧部材１３、１４の外アーム１３ｂ、１４ｂが当接し、標本押圧部材１３、１４の開放位置を規制する当接部１１ｂ、１１ｃが形成されている。標本当接部材１８と圧縮バネ１９とにより、標本当接手段を構成している。
【００２２】
図８および図９に示すように、本体１１に取着された蓋２０には、軸２１が嵌装され、蓋２０の表面側に突出した軸２１に、板バネ２２が回動自在に取着されている。板バネ２２には、ピン２３が取着され、蓋２０に穿設された長穴２４内を軸２１周りに回動することができるようになっている。標本当接部材１８には、板バネ２２に取着されたピン２３がガイドされる作動制御溝２５が刻設されている。作動制御溝２５は、図１０に示すように、通常プッシュオン−プッシュオフスイッチで用いられる環状溝のように、分岐部分２５ａ、２５ｂ、２５ｃ、２５ｄで段差になっており、標本当接部材１８の前後動によるピン２３の移動は、溝２５に沿って矢印Ｅの方向に、即ち一方向のみに動くようになっている。蓋２０、軸２１、板バネ２２、ピン２３および標本当接１８に刻設された作動制御溝２５により、作動制御機構を構成している。
【００２３】
つぎに、上記構成の標本保持装置の作用について説明する。標本１２を保持する前には、図６に示すように、標本押圧部材１３、１４は、捩じりバネ１７の弾発力により、矢印Ｃの方向に付勢され、それぞれ、外アーム１３ｂ、１４ｂが本体１１の当接部１１ｂ、１１ｃに当接していて、標本押圧部材１３、１４は開放され、標本当接部１３ｃ、１４ｃの間隔は、標本１２の長手方向の寸法よりも十分大きく開いている。この状態で、ピン２３は、図１０のアの位置に静止している。
【００２４】
つぎに、図７に示すように、十分大きく開いている標本押圧部材１３、１４の標本当接部１３ｃ、１４ｃ（鎖線で図示）の間に、標本２を滑り込ませ、標本当接部材１８を押すと、前当接面２７ａ、２８ａが標本押圧部材１３、１４の内ア−ム１３ａ、１４ａを押して、標本押圧部材１３、１４を回転させる。ある程度回転させると、捩じりバネ１７の弾発力の作用する方向の変極点を超え、標本押圧部材１３、１４の標本当接部１３ｃ、１４ｃが標本１２を押圧する方向（矢印Ｄの方向）に弾発力が作用する。このとき、ピン２３は、溝２５を図１０のアからイまで移動し、ここで標本１２から手を離せば、圧縮バネ１９の弾発力により、ピン２３はウの位置に静止し、標本当接部１３ｃ、１４ｃ（実線で図示）により標本１２が固定される。
【００２５】
標本１２を取り出すとき、標本１２を挿入方向に押し込むと、ピン２３が溝２５のエの位置（図１０参照）に移動し、ここで、標本１２から手を離せば、ピン２３がアの位置（図１０参照）に戻り、標本当接部材１８が標本１２を押し出すとともに、後当接面２７ｂ、２８ｂが標本押圧部材１３、１４の後アーム１４ａ、１４ｂに当接し、標本押圧部材１３、１４を回転させ、捩じりバネ１７の弾発力の作用する方向の変極点を超え、標本押圧部材１３、１４を開く方向（図６Ｃの方向）に捩じりバネ１７の弾発力が作用し、本体１１の当接部１１ｂ、１１ｃに当接して静止する。
【００２６】
本実施の形態によれば、簡単な操作で標本を容易に着脱することができる。また、一対の標本押圧部材の標本当接部間の間隔が標本の長手方向の寸法よりも十分大きく開いているので、標本挿入時の精度がよりラフでもよい。また、標本を取り出すときも、挿入方向にワンプッシュするのみで済む。
【００２７】
本実施の形態では、一対の標本押圧部材を捩じりバネの弾発力で連結しているが、圧縮コイルバネやゴムなどの弾性部材に替えてもよい。また、標本当接部材を付勢するのに、圧縮バネを用いているが、ストロークを確保できれば、ゴム等の弾性部材に替えてもよい。
【００２８】
【発明の効果】
請求項１、２または３に係る発明によれば、作動制御機構により、標本保持前は標本押圧手段が開放されており、標本を挿入すると標本押圧手段が回転して標本を保持し、標本を更に押し込むと標本押圧手段が開放され標本が押し出されるので、簡単な操作で標本を容易に着脱することができる。
請求項２または３に係る発明によれば、上記効果に加え、標本当接手段に標本が当接して、該標本当接手段が移動し、標本押圧手段が回転して標本を保持するので、標本保持装置への標本の装着が迅速にできる。
請求項３に係る発明によれば、上記効果に加え、標本取出し時に、標本を挿入した方向に標本を介して標本当接手段を押圧すると、標本押圧手段が標本保持方向と逆方向に回転するとともに、標本当接手段が標本を押し出すので、標本保持装置からの標本の取り出しが迅速にできる。
【図面の簡単な説明】
【図１】実施の形態１の標本保持装置の標本押圧部材が開放状態の平面図である。
【図２】実施の形態１の標本保持装置の標本押圧部材が保持状態の平面図である。
【図３】実施の形態１の標本保持装置の標本押圧部材が開放開始直前の状態の平面図である。
【図４】実施の形態１の標本保持装置の第１の変形例を示す平面図である。
【図５】実施の形態１の標本保持装置の第２の変形例を示す平面図である。
【図６】実施の形態２の標本保持装置の標本押圧部材が開放状態の平面図である。
【図７】実施の形態２の標本保持装置の標本押圧部材が保持状態の平面図である。
【図８】実施の形態２の標本保持装置の作動制御機構の縦断面図である。
【図９】実施の形態２の標本保持装置の作動制御機構の平面図である。
【図１０】実施の形態２の作動制御機構の作動制御溝の平面図である。
【図１１】従来技術４の顕微鏡の標本保持装置の斜視図である。
【符号の説明】
１  本体
１ｄ  斜面部
２  標本
３  標本押圧部材
４  捩じりバネ
５  第１の標本当接部材
６  圧縮バネ
７  第２の標本当接部材
８  圧縮バネ
９  ピン
【図１】
0004208302.tif 000002
【図２】
0004208302.tif 000003
【図３】
0004208302.tif 000004
【図４】
0004208302.tif 000005
【図５】
0004208302.tif 000006
【図６】
0004208302.tif 000007
【図７】
0004208302.tif 000008
【図８】
0004208302.tif 000009
【図９】
0004208302.tif 000010
【図１０】
0004208302.tif 000011
【図１１】
0004208302.tif 000012